(57)【要約】【課題】頭部を適度な弾発力を以って挟持するめがねを提供する。【解決手段】フレーム２０、テンプル２２及びモダン２３で構成され、一対のテンプルの末端にあるモダン２３の頭部に接する側に、モダンに沿って凹部２４を設けると共に該凹部内に一端を固定した弾性片３０を設置して頭部との間で弾性変形して、その弾発力で頭部を挟持する。  該弾性片はテンプルの表面より突出して配置され、めがねを掛けると、該弾性片が弾性変形してユーザーの頭部に適度な弾発力を作用して挟持するため、めがねを快適且つ安定、安全に掛けることができる。【選択図】図２
0003177906.tif 000002
【実用新案登録請求の範囲】
【請求項１】
フレーム、テンプル及びモダンからなり、
上記テンプルは、上記フレームの両端に対称に、かつ折畳み可能に設置され、
上記モダンは、各テンプルの末端にあってユーザーの耳にかけて頭部を挟持する構成において、
上記テンプルの末端にあるモダンにそれぞれ弾性片を設け、該弾性片の一端をテンプルに固定すると共に、該弾性片はテンプルの表面より突出せしめてその弾性変形によりテンプルに接する頭部に弾発力を作用せしめて、頭部を挟持することを特徴とする弾性片を具有するめがねの構造。
【請求項２】
前記弾性片の固定端をテンプルにネジで螺合することにより、交換可能としたことを特徴とする請求項１記載の弾性片を具有するめがねの構造。
【考案の詳細な説明】
【技術分野】
【０００１】
本考案は、めがねの構造に関し、特に、脱落せず、且つ好適に使用者の頭部に適合するテンプルを具えためがねの構造に関する。
【背景技術】
【０００２】
図１に示すように、従来のめがねはレンズ１０及びフレーム１１で構成する。フレーム１１の両サイドから智を介して二本のテンプル１２を設け、二本のテンプル１２はフレーム１１から延伸し、それによってユーザーの頭部に掛けることができる。通常テンプル１２の末端にあるモダン１３は、後方で下向きに彎曲し、該部分はめがねを掛ける際に荷重がかかる箇所であり、該モダン１３はめがねを掛ける際にユーザーのこめかみ及び耳の上方を挟持して、掛ける。
上述の従来技術のめがねには、例えばフレーム１１が比較的幅が広く、テンプル１２がしっかりとユーザーの頭部に貼り付くことができず、テンプル１２間の距離も調整することができないという、欠点がある。或いは、例えば、テンプル１２の形状を変えることによって挟持する度合いを調整することができても、めがねの外観が変わり、またテンプル１２もまた彎曲したことで変形して損壊することになる。また、ユーザーが動きの激しい動作をする際に、テンプル１２の挟持する力に限りがあるため、ユーザーの頭部から外れてしまうこともあることを鑑みて、更なる改善が必要であった。
【先行技術文献】
【特許文献】
【０００３】
【特許文献１】特開２０００−１１１８５０号公報
【考案の概要】
【考案が解決しようとする課題】
【０００４】
前記公知構造の欠点を解決するため、本考案は一対のテンプルの末端に頭部に向けて弾発力を作用する弾性片を設けることにより、好適に適合し、且つ安定して掛けることができる安全なめがねを提供することを主な課題とする。
【課題を解決するための手段】
【０００５】
上記の目的を解決するために、本考案は弾性片を具有するめがねの構造を提供する。本考案のめがねは、フレーム、テンプル及びモダンを具え、該フレームの両サイドから対称に設置されて、折り畳んで収納できるテンプルを有し、各テンプルの末端にあるモダンは掛ける際にユーザーの頭に引っ掛ける部分で、めがねを掛ける際に適合の度合い、及び安定しているか否かを判断する場所でもある。該テンプルの末端にあるモダンに頭部に向けて弾発力を作用する弾性片を付け、該弾性片の一端をテンプルに接続固定し、該弾性片はテンプルの表面より突出して、該弾性片はテンプルに向かって弾性変形するスペースを有する。めがねをユーザーの頭部に掛けると、該弾性片が弾性変形してユーザーの頭部を挟持する。
【０００６】
前記めがねのテンプルの末端にあるモダンに凹部を設け、該弾性片を該凹部内に設置する。
【０００７】
前記めがねの弾性片は適切な弾性を具有する平たい形状のものである。
【０００８】
前記めがねの弾性片の一端をテンプルにネジで螺合する方法を用いることで、弾性片はテンプルから外して交換できる。
【０００９】
前記めがねの弾性片の表面にフィルム層を覆うことで、皮膚と接触する際に快適さが増す。
【００１０】
前記テンプルの末端にあるモダンに凹部を設け、該凹部の一端は更に内側に差込凹部を設け、該差込凹部に弾性片の固定端を挿入して固定することにより、弾性片の固定端はテンプル内に隠れ、更にネジをテンプルの外側から螺合して弾性片を固定する。
【００１１】
このように、弾性片をテンプルの末端にあるモダンに設置することにより、めがねを頭部に掛ける際、弾性片の弾性調整を介し、めがねを掛ける際の快適さを改善し、安定性を増す。
【考案の効果】
【００１２】
本考案はテンプルの末端にあるモダンに一つの弾性片を付け、該弾性片の一端をテンプルに接続固定することで、めがねを掛けると、該弾性片が弾性変形してユーザーの頭部を挟持し、その弾発力により頭部に及ぼす適度な挟持力によってめがねを快適且つ安定、安全に掛けることができる。
【図面の簡単な説明】
【００１３】
【図１】通常のめがねを掛けた略図である。
【図２】本考案の第一実施例のめがねの立体構造図である。
【図３】本考案の第一実施例のテンプルの平面構造図である。
【図４】図３のＩ−Ｉラインの断面図兼本考案第一実施例のテンプルの断面構造図である。
【図５】本考案の第一実施例の弾性片の別の実施方法の構造図である。
【図６】本考案の第一実施例の弾性片の更に別の実施方法の構造図である。
【図７】本考案の第二実施例のテンプルの平面構造図である。
【図８】図７のＩＩ−ＩＩラインの断面図兼本考案第二実施例のテンプルの断面構造図である。
【図９】本考案の第三実施例のテンプルの平面構造図である。
【図１０】本考案の第四実施例のテンプルの平面構造図である。
【考案を実施するための形態】
【実施例】
【００１４】
図２は、本考案の第一実施例の立体構造図であり、図３は本考案の第一実施例の部分拡大図である。本考案のめがねはフレーム２０、フレーム２０に嵌めこむレンズ２１、フレーム２０の両サイドから左右対称に設けられ、折り畳んで収納できるテンプル２２を設置し、各テンプル２２の末端にあるモダン２３は後方で下向きに彎曲し、この部分はめがねを掛ける際に荷重がかかる箇所であり、該モダン２３は掛ける際にユーザーのこめかみ及び耳の上方を挟持して掛ける部分で、めがねを掛ける際に適合性及び安定しているか否かを判断する場所でもある。図４に示すように、前記のモダン２３とは、テンプル２２の末端部分であり、該テンプル２２の末端にあるモダン２３に弾性片３０を付け、該弾性片３０の一端を該テンプル２２に固定して、該弾性片３０がテンプル２２の表面から突出して、該弾性片はテンプルと頭部の間で弾性的に変形するスペースを具有する。よって、二つのテンプル２２のモダン２３に設置した弾性片３０は直接ユーザーがめがねを掛ける際に挟持する部分となり、該弾性片３０はテンプル２２に向かって弾性変形するスペースを具有するため、めがねを掛ける際、弾性片３０は弾性的に変形してユーザーの頭部を挟持し、めがねを外すと、弾性片３０は元の形に戻る。上記の構造により、めがねをつけるユーザーの頭部のサイズに適応することができ、めがねを掛ける際に、よりしっかりと頭部に密着することができる。
【００１５】
また、前記テンプル２２の末端にあるモダン２３に凹部２４を設けて該弾性片３０を該凹部２４内に設置する。該弾性片３０が押されて弾性変形する際、該凹部２４は弾性片３０が制限移動及び収納するスペースとなり、全体に一体性及び美観が備わる。
【００１６】
更に、該弾性片３０の一端をテンプル２２と接続する方法は、固定タイプ及び可動タイプとすることができ、固定タイプではリベット、粘着剤、ホットメルト接着剤など、可動タイプではネジ３１やほぞで接続するなどの方法を用いる。もちろん弾性片３０とテンプル２２の接続手段は可動タイプがベストであり、可動及び取り外し可能のデザインを介し、図５に示すように、弾性片３０を交換することができ、異なる角度を持つ弾性片３０を用意して交換することで、挟持力を調整することができる。
【００１７】
ユーザーが快適にめがねを掛けるようにするために、弾性片３０の形状を平たい形に設けることで、頭部との接触面積を増やして適合性を向上する。或いは、図６に示すように、弾性片３０と頭部と接触する面に、フィルム層３２或いはその他の快適な素材を設けることで、皮膚と接触した後快適感が増すうえ、テンプル２２の挟持力によるユーザーの頭部に跡が残らず、さらにめがねとユーザー頭部との摩擦力を向上することで、めがねが落ちるのを防止することができる。
【００１８】
図７及び図８に示すのは本考案の第二実施例である。本考案のテンプルの末端にある後方で下向きに彎曲するモダン２３に凹部２４を設け、該凹部２４の一端は更に内側に一つの差込凹部２５を設ける。該差込凹部２５に弾性片３０の固定端を挿入することにより、弾性片３０の固定端はテンプル２２内に隠れ、更にネジ３１をテンプル２２の外側から螺合して弾性片３０を固定する。この実施例にある弾性片３０の固定方法によれば、弾性片３０の固定端をテンプル２２の中に隠すことができ、ユーザーがめがねを付ける際に、弾性片３０の前端で肌を傷つける憂いがなくなるほか、めがね全体の美観度をアップする。
【００１９】
図９に示すのは本考案の第三実施例のめがねである。本考案のめがねのテンプル２２末端に後方で下向きに彎曲するモダン２３を形成し、弾性片３０の一端を該テンプル２２の前端に差し込んで固定する。該弾性片３０を“之”の形に曲げたあと、該末端部分にフィルム層３２を覆い、該フィルム層３２を第二のテンプルとして、耳に掛ける。この実施例で述べる弾性片３０の使用方法では、弾性片３０の弾性性を有効的に発揮することができ、めがねを掛ける際に安定性が増す。
【００２０】
図１０の示すのは本考案の第四実施例のめがねである。本考案のめがねのテンプル２２末端に後方で下向きに彎曲するモダン２３を形成し、弾性片３０の一端を該テンプル２２の表面に接着して固定する。該弾性片３０を“之”の形に曲げたあと、該末端部分にフィルム層３２を覆い、該フィルム層３２を第二のテンプルとして、耳に掛ける。この実施例で述べる弾性片３０の使用方法では、弾性片３０の弾性性を有効的に発揮することができ、めがねを掛ける際に安定性が増す。
【００２１】
該テンプル２２末端にある後方で下向きに彎曲するモダン２３の内側に弾性片３０を設置する構造により、弾性片３０が弾性変形する特性を利用すると、めがねは異なるユーザーに適応するだけでなく、掛ける際の快適さと安定性を増すことができる。上記の実施例の記載は、本考案の最良実施例を示すものであり、本考案の申請範囲を限定するものではない。本考案に基づく修正や変更などは本考案の範囲に含まれる。
【符号の説明】
【００２２】
１０  レンズ
１１  フレーム
１２  テンプル
１３  モダン
２０  フレーム
２１  レンズ
２２  テンプル
２３  モダン
２４  凹部
２５  差込凹部
３０  弾性片
３１  ネジ
３２  フィルム層
【図１】
0003177906.tif 000003
【図２】
0003177906.tif 000004
【図３】
0003177906.tif 000005
【図４】
0003177906.tif 000006
【図５】
0003177906.tif 000007
【図６】
0003177906.tif 000008
【図７】
0003177906.tif 000009
【図８】
0003177906.tif 000010
【図９】
0003177906.tif 000011
【図１０】
0003177906.tif 000012